(57)【要約】【課題】  構成部材の削減を図ると共に、加工を軽減し、かつ、下方蓋の取り付け及び取り外しを容易にすること。【解決手段】  床、ベランダ等のスラブに設けられた孔部に取り付けられる収納枠２と、収納枠の床面側及び天井面側に枢着される上方蓋及び下方蓋４と、収納枠内に折り畳まれて収納され、上方蓋及び下方蓋が開かれたとき、階下の床若しくはその付近まで伸長する梯子とを具備する避難装置において、収納枠内に突設される一対の支持軸７の先端部に、下方蓋の移動を阻止する係止部材であるナット８が係脱可能に係合する係止受け部である雄ねじ部７ｃを形成し、下方蓋の対向する起立壁４２，４４に、支持軸が貫挿可能な回転孔４５を穿設し、下方蓋の両起立壁に穿設された回転孔の一方と他方に、交互に支持軸を挿脱することによって、下方蓋を支持軸に着脱可能に形成し、回転孔に支持軸を貫挿した状態で、雄ねじ部にナットを螺合して下方蓋を取り付ける。【選択図】    図３
2006223508.tif 000002
【特許請求の範囲】
【請求項１】
床、ベランダ等のスラブに設けられた孔部に取り付けられる収納枠と、この収納枠の床面側及び天井面側にそれぞれ枢着される上方蓋及び下方蓋と、上記収納枠内に折り畳まれて収納されると共に、上記上方蓋及び下方蓋が開かれたとき、階下の床若しくはその付近まで伸長する梯子とを具備する避難装置において、
上記収納枠内に突設される一対の支持軸の先端部に、上記下方蓋の移動を阻止する係止部材が係脱可能に係合する係止受け部を形成し、
上記下方蓋の対向する起立壁に、上記支持軸が貫挿可能な回転孔を穿設し、
上記下方蓋の両起立壁に穿設された上記回転孔の一方と他方に、交互に上記支持軸を挿脱することによって、下方蓋を支持軸に着脱可能に形成し、回転孔に支持軸を貫挿した状態で、上記係止受け部に上記係止部材を係合してなる、ことを特徴とする避難装置における下方蓋の取付構造。
【請求項２】
請求項１記載の避難装置における下方蓋の取付構造において、
上記係止受け部を、支持軸の先端部に形成される小径軸に刻設される雄ねじ部にて形成し、
上記係止部材を、上記雄ねじ部に螺合するナットにて形成してなる、ことを特徴とする避難装置における下方蓋の取付構造。
【請求項３】
請求項１記載の避難装置における下方蓋の取付構造において、
上記係止受け部を、支持軸の先端部に周設される周溝にて形成し、
上記係止部材を、上記周溝に弾発係合する止め輪にて形成してなる、ことを特徴とする避難装置における下方蓋の取付構造。
【発明の詳細な説明】
【技術分野】
【０００１】
この発明は避難装置における下方蓋の取付構造に関するもので、更に詳細には、床、ベランダ等のスラブに設けられた孔部に取り付けられる収納枠と、この収納枠内に折り畳まれて収納される避難用の梯子と、収納枠の床面側及び天井面側にそれぞれ枢着される上方蓋及び下方蓋とを具備する避難装置における下方蓋の取付構造の改良に係るものである。
【背景技術】
【０００２】
一般に、この種の避難装置として、床、ベランダ等のスラブに設けられた孔部に取り付けられる収納枠と、この収納枠の床面側及び天井面側にそれぞれ枢着される上方蓋及び下方蓋と、収納枠内に折り畳まれて収納されると共に、上方蓋及び下方蓋が開かれたとき、階下の床若しくはその付近まで伸長する梯子とを具備するものが知られている。
【０００３】
上記のように構成される避難装置において、一般に、収納枠に下方蓋を取り付けるには、収納枠内に突設される支持軸に嵌装される取付部材に、下方蓋の固定受部を形成し、下方蓋には、支持軸に回転可能に係合するフック状の切欠孔を形成すると共に、取付部材の固定受部に固定される固定部を形成し、下方蓋の固定部と取付部材の固定受部とを固定手段をもって固定すると共に、支持軸に取付部材を介して切欠孔を遊嵌して、下方蓋を取り付ける構造が知られている（例えば、特許文献1参照）。
【特許文献１】特許第３０９１８８８号公報（特許請求の範囲、図３）
【発明の開示】
【発明が解決しようとする課題】
【０００４】
しかしながら、特許第３０９１８８８号公報に記載の構造においては、構成部材が多い上、構成部材の加工に手間を要し、また、取付後の下方蓋の交換が面倒であるという問題があった。
【０００５】
この発明は、上記事情に鑑みてなされたもので、構成部材の削減を図ると共に、加工を軽減し、かつ、下方蓋の取り付け及び取り外しを容易にした下方蓋の取付構造を提供することを目的とするものである。
【課題を解決するための手段】
【０００６】
上記課題を解決するために、請求項１記載の発明は、床、ベランダ等のスラブに設けられた孔部に取り付けられる収納枠と、この収納枠の床面側及び天井面側にそれぞれ枢着される上方蓋及び下方蓋と、上記収納枠内に折り畳まれて収納されると共に、上記上方蓋及び下方蓋が開かれたとき、階下の床若しくはその付近まで伸長する梯子とを具備する避難装置において、  上記収納枠内に突設される一対の支持軸の先端部に、上記下方蓋の移動を阻止する係止部材が係脱可能に係合する係止受け部を形成し、  上記下方蓋の対向する起立壁に、上記支持軸が貫挿可能な回転孔を穿設し、  上記下方蓋の両起立壁に穿設された上記回転孔の一方と他方に、交互に上記支持軸を挿脱することによって、下方蓋を支持軸に着脱可能に形成し、回転孔に支持軸を貫挿した状態で、上記係止受け部に上記係止部材を係合してなる、ことを特徴とする。
【０００７】
このように構成することにより、下方蓋の両起立壁に穿設された回転孔の一方と他方を、収納枠内に突設された一対の支持軸に交互に挿脱することによって、収納枠に対して下方蓋を取り付け、取り外しすることができる。また、回転孔に支持軸を貫挿した状態で、係止受け部に係止部材を係合することにより、下方蓋が支持軸から外れるのを阻止することができる。
【０００８】
この発明において、上記係止受け部と係止部材とは、係脱可能に形成されるものであれば、任意の構造でよく、例えば、上記係止受け部を、支持軸の先端部に形成される小径軸に刻設される雄ねじ部にて形成し、上記係止部材を、上記雄ねじ部に螺合するナットにて形成することができる（請求項２）。また、請求項２記載の発明に代えて、上記係止受け部を、支持軸の先端部に周設される周溝にて形成し、上記係止部材を、上記周溝に弾発係合する止め輪にて形成してもよい（請求項３）。
【発明の効果】
【０００９】
この発明の避難装置における下方蓋の取付構造は、上記のように構成されているので、以下のような効果が得られる。
【００１０】
（１）請求項１記載の発明によれば、下方蓋の両起立壁に穿設された回転孔の一方と他方を、収納枠内に突設された一対の支持軸に交互に挿脱することによって、収納枠に対して下方蓋を取り付け、取り外しすることができ、また、回転孔に支持軸を貫挿した状態で、係止受け部に係止部材を係合することにより、下方蓋が支持軸から外れるのを阻止することができるので、構成部材の削減が図れると共に、加工の軽減が図れ、かつ、下方蓋の取り付け、取り外しを容易にすることができる。
【００１１】
（２）請求項２記載の発明によれば、支持軸を大径軸と雄ねじ部を刻設した小径軸とからなる段付き軸にて形成することができると共に、係止部材をナットにて形成することができるので、上記（１）に加えて、更に構成部材に複雑な加工を施すことなく既成部材を用いることができ、コストの削減を図ることができる。
【００１２】
（３）請求項３記載の発明によれば、支持軸に周溝を設け、係止部材を周溝に弾発係合する止め輪、例えばＥリングあるいはＣリング等にて形成するので、上記（１）に加えて、更に構成部材に複雑な加工を施すことなく既成部材を用いることができ、コストの削減を図ることができる。また、周溝を支持軸の先端近傍に設けることができるので、支持軸を短くすることができ、下方蓋の取り付け、取り外しにおける移動量を少なくすることができる。
【発明を実施するための最良の形態】
【００１３】
以下に、この発明の最良の実施形態を添付図面に基づいて詳細に説明する。
【００１４】
図１は、この発明に係る下方蓋の取付構造を適用した避難装置の使用状態（展開状態）を示す斜視図、図２は、避難装置の使用状態の要部を示す斜視図である。
【００１５】
この発明に係る避難装置は、床、ベランダ等のスラブ１に設けられた角形状の孔部１ａに取付けられる方形状の収納枠２と、この収納枠２の床面側及び天井面側にそれぞれ枢着される上方蓋３及び下方蓋４と、上方蓋３及び下方蓋４を互いに連結し、上方蓋３の開閉に連動して下方蓋４を開閉し、かつ開放されたとき上方蓋３をほぼ直立状に固定維持するリンク機構５と、収納枠２内に折り畳まれて収納されると共に上方蓋３及び下方蓋４が開かれたとき、階下の床若しくはその付近まで伸長する梯子６と、上方蓋３及び下方蓋４が開かれた後、梯子６の降下を開始し、梯子６の伸長降下速度を制御し、かつ梯子６を引上げ収納するための緩降機２０とで構成されている。なお、梯子６は、複数の縦桟６ａをパンタグラフ式に枢着した一対の伸縮体６ｃ，６ｃ間に複数の横桟６ｂが適宜間隔をおいて横架された構造となっている。また、上方蓋３の下面略中央部には手掛け部３０が装着されている。
【００１６】
上記収納枠２は、上部側にスラブ１内に下方の一部が埋設される段部２ａを有し、かつ下端には外向きのＬ形状の下部フランジ２ｂを折曲した４個の側壁部材２ｃを方形状に枠組みした構造となっている。
【００１７】
上記のように構成される収納枠２の対向する側壁部材２ｃの内側面には、それぞれ支持軸７が突設されており、この支持軸７に下方蓋４が開閉可能及び着脱可能に枢着されている。この支持軸７は、収納枠２に穿設された透孔（図示せず）に外側から貫挿されて、例えばスポット溶接Ｗによって固着された状態で突設されている。このように支持軸７を溶接固定することにより、現場でのコンクリートの打設によって収納枠２内へのコンクリートの侵入を防ぐと共に、収納枠２をスラブ１内に埋設した後の下方蓋４の交換を容易にすることができる。
【００１８】
この場合、図３ないし図５に示すように、支持軸７は、大径軸７ａの先端部に小径軸７ｂを有する段付き軸にて形成されており、小径軸７ｂに係止受け部である雄ねじ部７ｃが刻設されている。雄ねじ部７ｃには、支持軸７に取り付けられた下方蓋４の移動を阻止する係止部材であるナット８が係脱可能に螺合されるようになっている。
【００１９】
上記下方蓋４は、図２ないし図６に示すように、方形状の蓋基部４０の四辺に起立壁４１，４２，４３，４４が折曲されており、左右の対向する起立壁４２，４４における端部側すなわち開閉基端側には、支持軸７が貫挿可能な回転孔４５が穿設されている。また、起立壁４２，４４における回転孔４５より下方蓋４の開閉自由端側には、後述するリンク機構５の下部リンク５２を枢着する取付孔４６が穿設されている（図４参照）。また、下方蓋４における左右の起立壁４２，４４の取付孔４６より自由端側の部位には、それぞれ補強用の外向きフランジ４７が折曲されている。この場合、起立壁４２，４４の外向きフランジ４７は、取付孔４６が設けられた部位の起立壁４２，４４の先端縁から外向きフランジ４７の先端縁に向かって曲線状に屈曲する絞り加工部４８を介して連続的に設けられている。このように、曲線状に屈曲する絞り加工部４８を介して起立壁４２，４４と外向きフランジ４７とを連続的に形成することにより、下方蓋４に最大の荷重がかかる取付孔４６近傍の強度を高めることができると共に、下方蓋４の強度を高めることができる。また、絞り加工部４８を形成することにより、後述するように、下方蓋４における枢着部の幅、すなわち両起立壁４２，４４の外面間の寸法Ｂを、一方の支持軸７の先端面と他方の支持軸７を突設する収納枠２の壁面との距離Ｄよりも小さくすることができるので、下方蓋４の着脱が可能となる。また、下方蓋４が閉じた状態では外向きフランジ４７が収納枠２の内面に近接するので、下方蓋４は支持軸７から外れることがなく、収納枠２を確実に閉鎖することができる。
【００２０】
なお、上記のように構成される下方蓋４における対向する両起立壁４２，４４の内面間の寸法Ａは、上記一対の支持軸７の大径軸７ａの端面間の距離Ｃよりやや大きく（Ｃ＜Ａ，Ａ≒Ｃ）形成され、また、両起立壁４２，４４の外面間の寸法Ｂは、一方の支持軸７の先端面と他方の支持軸７を突設する収納枠２の壁面との距離Ｄより小さく（Ｂ＜Ｄ）形成されている（図３参照）。このように、両起立壁４２，４４の内面間の寸法Ａを、対向する支持軸７の大径部端面間の距離Ｃより大きく（Ｃ＜Ａ）形成することにより、下方蓋４を支持軸７の大径軸７ａに回転自在に取り付けることができる。また、両起立壁４２，４４の外面間の寸法Ｂを、一方の支持軸７の先端面と他方の支持軸７を突設する収納枠２の壁面との距離Ｄより小さく（Ｂ＜Ｄ）形成することにより、下方蓋４の両起立壁４２，４４に穿設された回転孔４５の一方と他方に、交互に支持軸７を挿脱することができ、下方蓋４を支持軸７に着脱可能に取り付けることができる。
【００２１】
一方、上記リンク機構５は、収納枠２に枢着されるベルクランク５０と、このベルクランク５０の上端部と上方蓋３の下面に突設されたブラケット３ａに枢着される上部リンク５１と、ベルクランク５０の下端部に対して摺動及び回動自在に枢着され、下方蓋４の起立壁４２，４４に枢着される下部リンク５２とで構成されている。この場合、下部リンク５２は、一端部に穿設された透孔（図示せず）と下方蓋４の起立壁４２，４４に穿設された取付孔４６を貫通する枢軸用ボルト５３及び該ボルト５３に螺合するナット５４によって回動自在に枢着され、また、他端部に設けられた長孔５５とベルクランク５０の下端部に穿設された透孔（図示せず）を貫通する枢軸５６によって回動及び摺動自在に枢着されている。このように、リンク機構５を構成することにより、使用状態時に下方蓋４が風圧を受けて回転した場合でも、ベルクランク５０と下部リンク５２との枢着部で吸収して、上方蓋３の閉鎖移動を阻止することができるので、安全性の向上が図れる。
【００２２】
次に、下方蓋４の取付態様について図３及び図７を参照して説明する。
【００２３】
まず、収納枠２の対向する側壁部材２ｃ，２ｃに予め一対の支持軸７をスポット溶接等にて固着しておく。次に、下方蓋４を矢印Ｌ方向（図において左方向）に移動させて下方蓋４の一方の起立壁例えば起立壁４２に穿設された回転孔４５内に一方（図において左側）の支持軸７を貫挿させる（図７（ａ）参照）。次に、下方蓋４を矢印Ｒ方向（図において右方向）に移動させて下方蓋４の他方の起立壁４４に穿設された回転孔４５内に他方（図において右側）の支持軸７を貫挿させて、下方蓋４を支持軸７に取り付ける（図７（ｂ）参照）。この状態で、両支持軸７の小径軸７ｂに刻設された雄ねじ部７ｃにナット８を螺合して、下方蓋４の取付作業は終了する（図３参照）。
【００２４】
下方蓋４を取り外す場合は、上述した取付手順の逆の手順で行えばよい。すなわち、まず、支持軸７の雄ねじ部７ｃに螺合しているナット８を取り外す。次に、下方蓋４の一方の起立壁例えば起立壁４２を、一方の支持軸７の基端側まで移動して、他方の起立壁４４に穿設された回転孔４５を他方の支持軸７から引き離した後、下方蓋４を反対方向に移動して、一方の起立壁４２に穿設された回転孔４５を一方の支持軸７から引き離して、取り外すことができる。
【００２５】
上記第１実施形態では、係止受け部を、支持軸７の先端部に形成される小径軸７ｂに刻設される雄ねじ部７ｃにて形成し、係止部材を、雄ねじ部７ｃに螺合するナット８にて形成した場合について説明したが、係止受け部と係止部材は必ずしもこのような構造である必要はない。例えば、図８及び図９に示すように、係止受け部を、支持軸７の先端部に周設される周溝１０にて形成し、係止部材を、周溝１０に弾発係合する止め輪例えばＥリング１１にて形成してもよい。なお、止め輪をＥリングに代えてＣリングにて形成してもよい。
【００２６】
なお、図８及び図９に示す第２実施形態において、その他の部分は第１実施形態と同じであるので、同一部分には同一符号を付して、説明は省略する。
【００２７】
上記のように係止受け部を、支持軸７の先端部に周設される周溝１０にて形成し、係止部材を、周溝１０に弾発係合する止め輪例えばＥリング１１にて形成することにより、上記実施形態と同様に、下方蓋４の両起立壁４２，４４に穿設された回転孔４５の一方と他方に、交互に支持軸７を挿脱することによって、下方蓋４を支持軸７に着脱可能に形成し、回転孔４５に支持軸７を貫挿した状態で、周溝１０にＥリング１１を係合して、下方蓋４を取り付けることができる。
【００２８】
上記のように構成される第２実施形態によれば、周溝１０を支持軸７の先端近傍に設けることができるので、第１実施形態に比べて支持軸７を短くすることができると共に、下方蓋４の取り付け、取り外しにおける移動量を少なくすることができる。
【００２９】
なお、下方蓋４を取り外す場合は、支持軸７の周溝１０に係合しているＥリング１１を取り外した後、下方蓋４の一方の起立壁例えば起立壁４２を、一方の支持軸７の基端側まで移動して、他方の起立壁４４に穿設された回転孔４５を他方の支持軸７から引き離し、その後、下方蓋４を反対方向に移動して、一方の起立壁４２に穿設された回転孔４５を一方の支持軸７から引き離して、取り外すことができる。
【図面の簡単な説明】
【００３０】
【図１】この発明に係る避難装置の使用状態（展開状態）を示す斜視図である。
【図２】上記避難装置の使用状態の要部を示す斜視図である。
【図３】この発明に係る下方蓋の取付構造の第１実施形態を示す断面図である。
【図４】第１実施形態における下方蓋の取付部を示す分解斜視図である。
【図５】第１実施形態における下方蓋の取付部を示す斜視図である。
【図６】この発明における下方蓋の起立壁、補強用外向きフランジ及び絞り加工部を示す斜視図である。
【図７】第１実施形態における下方蓋の取付手順を示す概略断面図である。
【図８】この発明に係る下方蓋の取付構造の第２実施形態における下方蓋の取付部を示す分解斜視図である。
【図９】第２実施形態における下方蓋の取付部を示す斜視図である。
【符号の説明】
【００３１】
１  スラブ
２  収納枠
３  上方蓋
４  下方蓋
５  リンク機構
６  梯子
７  支持軸
７ｂ  小径部
７ｃ  雄ねじ部（係止受け部）
８  ナット（係止部材）
１０  周溝（係止受け部）
１１  Ｅリング（止め輪，係止部材）
４２，４４  起立壁
４５  回転孔
【図１】
2006223508.tif 000003
【図２】
2006223508.tif 000004
【図３】
2006223508.tif 000005
【図４】
2006223508.tif 000006
【図５】
2006223508.tif 000007
【図６】
2006223508.tif 000008
【図７】
2006223508.tif 000009
【図８】
2006223508.tif 000010
【図９】
2006223508.tif 000011